(57)【特許請求の範囲】
【請求項１】
デジタルカメラのレンズ鏡筒部前面に装着されて使用されるリング形状のフィルター枠３は熱硬化性樹脂や熱可塑性樹脂並びに合成樹脂を用いた繊維強化プラスチックなどの複合材料から成る高分子弾性体を成形加工して製作され、
該高分子弾性体を成形加工にて製作されるリング形状のフィルター枠３は金属製のフィルター枠に比較して非常に軽く、また比較的弾性に富んだ高分子弾性体を任意に選択して用いており、
該非常に軽く弾性に富んだ高分子弾性体からなるリング形状のフィルター枠３の内径部にはフィルターレンズ用のレンズ押さえ内段部１２とレンズ嵌合部７を形成し、
該レンズ押さえ内段部１２とレンズ嵌合部７には各種効果を有するフィルターレンズ４を嵌合して、
該レンズ嵌合部７の円周縁部８が形成する尖端を熱カシメ加工により塑性変形させることにより前記フィルターレンズ４をリング形状のフィルター枠３の内径部に固着内蔵したフィルター枠３を構成し、
該フィルター枠３をデジタルカメラのレンズ鏡筒部前面に装着されて使用することによりオートフォーカス用モーターの重量負荷を軽減し、またデジタルカメラのレンズ鏡筒部前面の先端部に装着されその使用中に先端部が堅いものにぶつかった場合にフィルター枠３自体の弾性により衝撃を緩衝してデジタルカメラのレンズ鏡筒の光軸を狂わせることを防止していることを特徴とする高分子弾性体からなるデジタルカメラ用のフィルター枠。
【請求項２】
リング形状のフィルター枠３を構成するフィルター外周枠１１、該フィルター外周枠１１の内径部に装着される他の光学系アタッチメント螺合連結用の雌ネジ部品１０、
また前記フィルター外周枠１１の内径部に設けられフィルター押さえ内段部１２にフィルターレンズ１３を嵌合しそのフィルターレンズ１３を押さえるためのフィルターレンズ押さえリング１４、
及び前記フィルター外周枠１１の外周縁部に設けられレンズ鏡筒部に螺合してフィルター枠３を装着するための雄ネジ部品１５を夫々熱硬化性樹脂や熱可塑性樹脂並びに合成樹脂を用いた繊維強化プラスチックなどの複合材料を任意に選択して成形加工し、
該成形加工された前記フィルター外周枠１１、雌ネジ部品１０、フィルター押さえリング１４、雄ネジ部品１５は熱カシメ加工や超音波溶着及び接着材を用いた接着により固着連結してフィルター枠３として組み立てることを特徴とする請求項１に記載の高分子弾性体からなるデジタルカメラ用のフィルター枠。
【発明の詳細な説明】
【技術分野】
【０００１】
本発明は、デジタルカメラ用のフィルター枠に関するものであり、特に本発明は、高分子弾性体からなる合成樹脂を用いて製作されるデジタルカメラ用フィルター枠に関するものである。
【０００２】
また、本発明のデジタルカメラ用のフィルター枠は、熱硬化性樹脂や熱可塑性樹脂、並びに合成樹脂を用いた繊維強化プラスチックスなどの複合材料などを成形加工して製作されるものである。
【背景技術】
【０００３】
本発明において、デジタルカメラ用のフィルターとは、デジタルカメラのレンズ鏡筒前面に装着され、光を吸収したり、透過させたり或いは光に変化を与えるなど、光を目的に応じて制御して、カメラの撮像素子に光を送り込む役割を果たすもので、デジタルカメラ用フィルターは、主に光学ガラス系からなるフィルターレンズと該フィルターレンズを保持するためのフィルター枠から構成されている。
【０００４】
斯くして、従来のデジタルカメラ用フィルター枠の材質、並びに形状例は、特開２００５−３０１１７３号（以下、特許文献１と称する）に開示されている。特許文献１にはフィルター外周枠の材質として金属製素材にメッキをして、黒色アルマイトを化学的に研磨して荒らしたサテン仕上げを施したものなどの記載があり、前記金属製素材とはアルミ製であることが理解できる。
【０００５】
また、特許文献１は、レンズ保護用のフィルター、円偏光フィルター、光量減少フィルターと特殊効果をもたたす光条効果用フィルター、被写体を柔らかく表現できるソフトフォーカス用フィルターなど、利用価値の大きいデジタルカメラ用のフィルター枠構造に関する記載があり、該フィルター枠に必要な形状や加工技術が開示されている。
【０００６】
更に、デジタルカメラ用のフィルター枠に必要な形状や加工に関して、特許文献１は、フィルター外周枠の後方に設けられデジタルカメラの鏡筒に螺合して連結される雄ネジ部、フィルター外周枠の前面に設けられる他の光学系アタッチメント螺合連結用雌ネジ、フィルター外周枠の外周部に刻設された回転操作用ローレット加工部、そして、フィルターレンズを内蔵するためのレンズ押さえバネや、フィルターレンズ押さえ内段部などの構成が開示されている。
【０００７】
而して、特許文献１等に開示された従来のデジタルカメラ用フィルター枠は、その材質を金属製素材としてアルミや真鍮が用いられており、この事に起因して従来のデジタルカメラ用フィルター枠は一般的に重量が重くオートフォーカス用モーターに負荷がかかる欠点があった。
【０００８】
また、従来のデジタルカメラ用フィルター枠は、金属製であること、また金属製フィルター枠からなる各種フィルターは、デジタルカメラのレンズ鏡筒前面に装着されて使用されることが多いので、使用中に堅いものにぶつけた場合にその衝撃は、金属製フィルター枠を介して直接カメラレンズ鏡筒に伝わることになりカメラレンズの鏡筒の光軸を狂わせることもあるので、この点に関する解決策が模索されてきた。
【先行技術文献】
【特許文献】
【０００９】
【特許文献１】特開２００５−３０１１７３号公報
【発明の概要】
【発明が解決しようとする課題】
【００１０】
本発明が解決しようとする課題は、デジタルカメラのレンズ鏡筒前面に装着され使用される各種フィルターの重量を軽くすることによりデジタルカメラ本体に内蔵されたオートフォーカス用モーターの負荷を軽減するものである。
【００１１】
また、本発明が解決しようとする課題は、従来のデジタルカメラのフィルター枠が金属製であることから、各種フィルターがデジタルカメラのレンズ鏡筒前面に装着されて使用され、その使用中に堅いものにぶつけた場合にその衝撃は、金属製フィルター枠を介して直接カメラレンズ鏡筒に伝わることになりカメラレンズの鏡筒の光軸を狂わせることになる点を解決するものである。
【課題を解決するための手段】
【００１２】
本発明は、高分子弾性体を成形加工してリング形状のフィルター枠を製作し、該リング形状のフィルター枠に各種効果を有するフィルターレンズを嵌合して製作されるフィルター枠を提供するものである。
【００１３】
また、本発明は、高分子弾性体を成形加工してリング形状のフィルター枠を製作し、該リング形状のフィルター枠の内径部にフィルターレンズ用のレンズ押さえ内段部とレンズ嵌合部を形成し、該レンズ押さえ内段部とレンズ嵌合部にフィルターレンズを嵌合した後、該レンズ嵌合部の円周縁部尖端を熱カシメ加工により塑性変形させて前記フィルターレンズをリング形状のフィルター枠に固着内蔵した高分子弾性体からなるデジタルカメラ用フィルター枠を提供するものである。
【００１４】
更に、本発明は、前記リング形状のフィルター枠は熱硬化性樹脂や熱可塑性樹脂並びに合成樹脂を用いた繊維強化プラスチックなどの複合材料からなる高分子弾性体を成形加工して製作され、該成形加工にて製作されるフィルルター枠は比較的弾性に富んだ高分子弾性体を選択して用いる高分子弾性体からなるデジタルカメラ用フィルター枠を提供するものである。
【００１５】
そして、本発明において、リング形状のフィルター枠を構成する部品は、夫々熱硬化性樹脂や熱可塑性樹脂並びに合成樹脂を用いた繊維強化プラスチックなどの複合材料を任意に選択して成形加工され、該成形加工された夫々の部品は熱カシメ加工や超音波溶着並びに接着材を用いた接着により固着連結してフィルター枠として組み立てられる高分子弾性体からなるデジタルカメラ用フィルター枠を提供するものである。
【発明の効果】
【００１６】
斯くして、本発明は、高分子弾性体を成形加工してリング形状のフィルター枠を製作し、該リング形状のフィルター枠に各種効果を有するフィルターレンズを嵌合して製作されるフィルター枠を提供するものであり、また、本発明は、具体的には、高分子弾性体を成形加工してリング形状のフィルター枠を製作し、該リング形状のフィルター枠の内径部にフィルターレンズ用のレンズ押さえ内段部とレンズ嵌合部を形成し、該レンズ押さえ内段部とレンズ嵌合部にフィルターレンズを嵌合した後、該レンズ嵌合部の円周縁部尖端を熱カシメ加工により塑性変形させて前記フィルターレンズをリング形状のフィルター枠に固着内蔵した高分子弾性体からなるデジタルカメラ用フィルター枠を提供するもので、アルミなど金属材料を用いて製作される従来のフィルター枠に比較してデジタルカメラのレンズ鏡筒前面に装着され使用される各種フィルターの重量を軽くすることが可能となり、デジタルカメラ本体に内蔵されたオートフォーカス用モーターの負荷を大幅に軽減することができるものである。
【００１７】
また、本発明におけるリング形状のフィルター枠は、例えば、熱硬化性樹脂や熱可塑性樹脂並びに合成樹脂を用いた繊維強化プラスチックなどの複合材料からなる高分子弾性体を成形加工して製作され、該成形加工にて製作されるフィルルター枠は比較的弾性に富んだ高分子弾性体を選択して製作されることにより、該リング形状のフィルター枠が、デジタルカメラのレンズ鏡筒前面に装着されて使用され、その使用中に堅いものにぶつけた場合に、その衝撃はフィルター枠自体の弾性により緩衝できることから前記カメラレンズ鏡筒に伝わることがなく、該カメラレンズの鏡筒の光軸を狂わせることがなくなる。
【００１８】
そして、本発明は、熱硬化性樹脂や熱可塑性樹脂並びに合成樹脂を用いた繊維強化プラスチックなどの複合材料からなる高分子弾性体を成形加工して製作することから大量生産することが可能となり、製品製作コストを大幅に下げることが可能となった。
【図面の簡単な説明】
【００１９】
【図１】本発明におけるフィルター枠の装着部位説明図である。
【図２】本発明を説明する要部断面図である。
【図３】（Ａ）図２ａ―ａ部分の拡大図で組み立て動作説明図でもある。（Ｂ）図２ａ―ａ部分の拡大図で組み立て動作説明図でもある。
【図４】本発明の実施例２を説明する組み立て部品図である。
【発明を実施するための形態】
【００２０】
本発明は、デジタルカメラ用のフィルター枠に関するものであり、特に本発明は、高分子弾性体からなる合成樹脂を用いて製作されるデジタルカメラ用フィルター枠に関するものである。
【００２１】
本発明において、高分子弾性体とは、熱硬化性樹脂や熱可塑性樹脂、並びに合成樹脂を用いた繊維強化プラスチックスなどの複合材料などをいう。
【００２２】
また、本発明において、熱硬化性樹脂とは、加熱すると重合を起こして高分子の網目構造を形成し、硬化して元に戻らなくなる性質を持つ樹脂で、例えば、フェノール樹脂（ＰＦ）、エポキシ樹脂（ＥＰ）、メラミン樹脂（ＭＦ）、ユリア樹脂（ＵＦ）、不飽和ポリエステル樹脂（ＵＰ）、ポリウレタン（ＰＵＲ）、熱硬化性ポリミド（ＰＩ）などである。
【００２３】
更に、本発明において、熱可塑性樹脂とは、ガラス転移温度、または融点まで加熱することによって柔らかくなり、目的の形に成形加工できる樹脂で、一般的に熱可塑性樹脂は、切削、研削等の機械加工がしにくい事が多く、加熱し軟化したところで金型に押し込み、冷やして固化させる射出成型加工などが広く用いられており、熱可塑性樹脂を用途により分類すると、汎用プラスチックスやエンジニアリング・プラスチック、並びにスーパーエンジニアリングプラスチックなどである。
【００２４】
而して、本発明において使用される前記汎用プラスチックスには、ポリエチレン（ＰＥ）、ポリプロピレン（ＰＰ）、ポリ塩化ビニル（ＰＶＣ）、ポリスチレン（ＰＳ）、ポリテトラフルオロエチレン（ＰＴＦＥ）、ＡＢＳ樹脂、アクリル樹脂などがある。
【００２５】
また、本発明において使用される前記エンジニアリング・プラスチックスには、ポリアミド（ＰＡ）、ポリアセタール（ＰＯＭ）、ポリカーボネート（ＰＣ）、ポリブチレンテレフタレート（ＰＢＴ）、ポリエチレンテレフタレート（ＰＥＴ）、グラスファイバー強化ポリエチレンテレフタレート（ＧＦ−ＰＥＴ）などがある。
【００２６】
更に、本発明において使用される前記スーパーエンジニアリング・プラスチックスには、ポリフェニレンスルファイド（ＰＰＳ）、ポリテトラフロロエチレン（ＰＴＦＥ）、ポリスルホン（ＰＳＦ）、ポリエーテルサルフォン（ＰＥＳ）、非晶ポリアリレート（ＰＡＲ）、液晶ポリマー（ＬＣＰ）、熱可塑性ポリイミド（ＰＩ）、ポリアミドイミド（ＰＡＩ）などがある。
【００２７】
そして、本発明において使用される合成樹脂を用いた繊維強化プラスチックスなどの複合材料としては、ガラス繊維強化プラスチックス（ＧＦＲＰ）や炭素繊維強化プラスチックス（ＣＦＲＰ）などがある。
【００２８】
斯くして、本発明は、デジタルカメラのレンズ鏡筒前面に装着され使用される各種フィルターの重量を軽くすることによりデジタルカメラ本体に内蔵されたオートフォーカス用モーターの負荷を軽減するものである。
【００２９】
また、本発明は、従来のデジタルカメラのフィルター枠が金属製であることから、各種フィルターがデジタルカメラのレンズ鏡筒前面に装着されて使用され、その使用中に堅いものにぶつけた場合にその衝撃は、金属製フィルター枠を介して直接カメラレンズ鏡筒に伝わることになりカメラレンズの鏡筒の光軸を狂わせることになる点を解決するものである。
【００３０】
本発明は、高分子弾性体を成形加工してリング形状のフィルター枠を製作し、該リング形状のフィルター枠に各種効果を有するフィルターレンズを嵌合して製作されるフィルター枠を提供するものであることが好ましい。
【００３１】
本発明は、高分子弾性体を成形加工してリング形状のフィルター枠を製作し、該リング形状のフィルター枠の内径部にフィルターレンズ用のレンズ押さえ内段部とレンズ嵌合部を形成し、該レンズ押さえ内段部とレンズ嵌合部にフィルターレンズを嵌合した後、該レンズ嵌合部の円周縁部尖端を熱カシメ加工により塑性変形させて前記フィルターレンズをリング形状のフィルター枠に固着内蔵した高分子弾性体からなるデジタルカメラ用フィルター枠を提供するものであることが好ましい。
【００３２】
また、本発明において、前記リング形状のフィルター枠は、熱硬化性樹脂や熱可塑性樹脂並びに合成樹脂を用いた繊維強化プラスチックなどの複合材料からなる高分子弾性体を成形加工して製作され、該成形加工にて製作されるフィルルター枠は比較的弾性に富んだ高分子弾性体を選択して用いる高分子弾性体からなるデジタルカメラ用フィルター枠であることが好ましい。
【００３３】
そして、本発明において、リング形状のフィルター枠を構成する部品は、夫々熱硬化性樹脂や熱可塑性樹脂、並びに合成樹脂を用いた繊維強化プラスチックなどの複合材料を任意に選択して成形加工され、該成形加工された夫々の部品は熱カシメ加工や超音波溶着、並びに接着材を用いた接着により固着連結してフィルター枠として組み立てられる高分子弾性体からなるデジタルカメラ用フィルター枠であることが好ましい。
【実施例１】
【００３４】
図１乃至図３は、本発明の実施例１を説明するものであり、図１は本発明におけるフィルター枠の装着部位説明図、図２は実施例１を説明する要部断面図、図３（Ａ）、（Ｂ）は図２のａ−ａ部分の拡大図で組み立て動作説明図でもある。
【００３５】
図１において、１はデジタル一眼レフカメラの本体、２はレンズ鏡筒部、３は高分子弾性体からなるデジタルカメラ用フィルター枠である。そして、前記フィルター枠３は、デジタルカメラのレンズ鏡筒２の前面に装着され、フィルターレンズ４にて光を吸収したり、透過させたり或いは光に変化を与えるなど、光を目的に応じて制御して、カメラの撮像素子に光を送り込む役割を果たすもので、デジタルカメラ用フィルターは、主に光学ガラス系からなるフィルターレンズ４と、該フィルターレンズ４を保持するためのリング形状のフィルター枠３から構成されている。
【００３６】
図２は、前記フィルター枠３の要部断面図を示すもので、フィルター枠３は、前面より他の光学系アタッチメント螺合連結用の雌ネジ部５、レンズ押さえ内段部６、フィルルターレンズ４が嵌合されるレンズ嵌合部７、フィルターレンズ４のレンズ嵌合部７の円周縁部８、並びに前記レンズ鏡筒部２に螺合して装着される雄ネジ部９からなり、該フィルター枠３を構成する雌ネジ部５、レンズ押さえ内段部６、レンズ嵌合部７、円周縁部８、並びに雄ネジ部９は、全て高分子弾性体を成形加工してリング形状のフィルター枠３を形成している。
【００３７】
そして、図３（Ａ）、（Ｂ）は、図２のａ−ａ部分の拡大図で組み立て動作説明図でもある。図３は、高分子弾性体を成形加工してリング形状のフィルター枠３を製作し、該リング形状のフィルター枠３の内径部にフィルターレンズ用のレンズ押さえ内段部６とレンズ嵌合部７を形成し、該レンズ押さえ内段部６とレンズ嵌合部７に図３（Ａ）に示す如くフィルターレンズ４を嵌合した後、該レンズ嵌合部７の円周縁部８尖端を熱カシメ加工により塑性変形させて前記フィルターレンズ４をリング形状のフィルター枠３内に図３（Ｂ）の如く固着内蔵している。尚、実施例１において、前記雌ネジ部５はストッパーを突出させた無理抜き型を用いて雌ネジ部を成形加工でき、また、前記雄ネジ部９は割り金型を用いることにより成形加工が可能である。
【００３８】
斯くして、実施例１のフィルター枠３は、高分子弾性体を成形加工してリング形状のフィルター枠３を製作するもので、前記リング形状のフィルター枠３は、熱硬化性樹脂や熱可塑性樹脂並びに合成樹脂を用いた繊維強化プラスチックなどの複合材料からなる高分子弾性体を成形加工して製作されるもので、該成形加工にて製作されるフィルルター枠３は比較的弾性に富んだ高分子弾性体を任意に選択して用いることにより、フィルター枠３自体が緩衝材となる他、金属製のフィルター枠に比較して非常に軽いフィルター枠３を形成することが可能である。
【実施例２】
【００３９】
図４は、実施例２を説明する組み立て部品図である。図４において、１０は雌ネジ部品、１１は内部にフィルターレンズ押さえ内段部１２を有するフィルター外周枠、１３はフィルターレンズ、１４はフィルターレンズ押さえリング、１５は雄ネジ部品である。そして、前記雌ネジ部品１０、フィルター外周枠１１、フィルターレンズ押さえリング１４、雄ネジ部品１５は、夫々熱硬化性樹脂や熱可塑性樹脂、並びに合成樹脂を用いた繊維強化プラスチックなどの複合材料を任意に選択して成形加工され、該成形加工された夫々の部品は熱カシメ加工や超音波溶着、並びに接着材を用いた接着により固着連結してフィルター枠として組み立てられる高分子弾性体からなるデジタルカメラ用フィルター枠に形成されるものである。
【００４０】
従って、本発明は、高分子弾性体を成形加工してリング形状のフィルター枠を製作し、該リング形状のフィルター枠に各種効果を有するフィルターレンズを嵌合して製作されるフィルター枠を提供するものであり、また、本発明は、具体的には、高分子弾性体を成形加工してリング形状のフィルター枠を製作し、該リング形状のフィルター枠の内径部にフィルターレンズ用のレンズ押さえ内段部とレンズ嵌合部を形成し、該レンズ押さえ内段部とレンズ嵌合部にフィルターレンズを嵌合した後、該レンズ嵌合部の円周縁部尖端を熱カシメ加工により塑性変形させて前記フィルターレンズをリング形状のフィルター枠に固着内蔵した高分子弾性体からなるデジタルカメラ用フィルター枠を提供するもので、アルミなど金属材料を用いて製作される従来のフィルター枠に比較してデジタルカメラのレンズ鏡筒前面に装着され使用される各種フィルターの重量を軽くすることが可能となり、デジタルカメラ本体に内蔵されたオートフォーカス用モーターの負荷を大幅に軽減することができるものである。
【００４１】
また、本発明におけるリング形状のフィルター枠は、例えば、熱硬化性樹脂や熱可塑性樹脂並びに合成樹脂を用いた繊維強化プラスチックなどの複合材料からなる高分子弾性体を成形加工して製作され、該成形加工にて製作されるフィルルター枠は比較的弾性に富んだ高分子弾性体を選択して製作されることにより、該リング形状のフィルター枠が、デジタルカメラのレンズ鏡筒前面に装着されて使用され、その使用中に堅いものにぶつけた場合に、その衝撃はフィルター枠自体の弾性により緩衝できることから前記カメラレンズ鏡筒に伝わることがなく、該カメラレンズの鏡筒の光軸を狂わせることがなくなる。
【００４２】
そして、本発明は、熱硬化性樹脂や熱可塑性樹脂並びに合成樹脂を用いた繊維強化プラスチックなどの複合材料からなる高分子弾性体を成形加工して製作することから大量生産することが可能となり、製品製作コストを大幅に下げることが可能となった。
【符号の説明】
【００４３】
１  デジタル一眼レフカメラ本体
２  レンズ鏡筒部
３  フィルター枠
４  フィルターレンズ
５  雌ネジ部
６  レンズ押さえ内段部
７  レンズ嵌合部
８  円周縁部
９  雄ネジ部
１０  雌ネジ部品
１１  フィルター外周枠
１２  フィルターレンズ押さえ内段部
１３  フィルターレンズ
１４  フィルター押さえリング
１５  雄ネジ部品
【図１】
0005610641.tif 000002
【図２】
0005610641.tif 000003
【図３】
0005610641.tif 000004
【図４】
0005610641.tif 000005